(57)【特許請求の範囲】
【請求項１】
ベースと、
回転中心回りに回転可能に前記ベースと連結され、前記ベースを覆う閉位置から第１回転方向へ回転することにより前記ベースを露出させるカバーと、
前記閉位置に位置された前記カバーの前記第１回転方向への回転を引っ掛かりにより制限する制限部と、
を備え、
前記制限部は、
前記回転中心から離間するとともに、前記回転中心の軸方向に互いに間隔をあけて設けられた二つの第１引掛部と、
前記軸方向の位置が二つの前記第１引掛部の間である第２引掛部と、を備え、
前記第１引掛部は、
前記ベースに設けられた第１受部と、
前記カバーに設けられ、前記第１受部に前記第１回転方向に引っ掛かり、前記カバーが前記閉位置から前記第１回転方向に回転されるのに伴い、二つの前記第１引掛部の間の中間側に撓むことにより前記第１受部から離脱する第１爪部と、
を有し、
前記第２引掛部は、
前記ベースに設けられた第２受部と、
前記カバーに設けられ、前記第２受部に前記第１回転方向に引っ掛かる第２爪部であって、前記カバーが前記閉位置から前記第１回転方向に回転されるのに伴い、前記第２爪部が前記回転中心側に撓むことにより前記第２受部から離脱する前記第２爪部と、
を有した、電子機器の筐体。
【請求項２】
前記第１受部は、前記カバーが前記閉位置に位置された場合に前記ベースから前記カバーに向かう方向に向かうにつれて前記中間に向かうように前記軸方向に対して傾斜した第１傾斜面を有し、
前記第１爪部は、前記第１傾斜面に沿い前記第１傾斜面と引っ掛かる第２傾斜面を有した、請求項１に記載の電子機器の筐体。
【請求項３】
前記第２受部は、前記カバーが前記閉位置に位置された場合に前記ベースから前記カバーに向かう方向と直交する第１直交面を有し、
前記第２爪部は、前記第１直交面に沿い前記第１直交面と引っ掛かる第２直交面を有した、請求項１または２に記載の電子機器の筐体。
【発明の詳細な説明】
【技術分野】
【０００１】
本発明は、電子機器の筐体に関する。
【背景技術】
【０００２】
従来、例えば、ベースと、回転中心回りに回転可能にベースと連結されたカバーと、を備えた、電子機器の筐体がある。
【先行技術文献】
【特許文献】
【０００３】
【特許文献１】特許第６６５９９８８号公報
【発明の概要】
【発明が解決しようとする課題】
【０００４】
この種の電子機器の筐体として、閉位置に位置されたカバーの開き方向への回転を複数の受部に対する複数の爪部の引っ掛かりにより制限する構成のものがある。このような構成においては、例えば、受部からの爪部の離脱（受部に対する爪部の引っ掛かりの解除）がしやすいと、作業者がカバーを容易に開きやすいため、有益である。
【０００５】
そこで、本発明の課題の一つは、受部からの爪部の離脱がしやすい電子機器の筐体を得ることである。
【課題を解決するための手段】
【０００６】
本発明の第１態様にかかる電子機器の筐体は、例えば、ベースと、回転中心回りに回転可能に前記ベースと連結され、前記ベースを覆う閉位置から第１回転方向へ回転することにより前記ベースを露出させるカバーと、前記閉位置に位置された前記カバーの前記第１回転方向への回転を引っ掛かりにより制限する制限部と、を備え、前記制限部は、前記回転中心から離間するとともに、前記回転中心の軸方向に互いに間隔をあけて設けられた二つの第１引掛部と、前記軸方向の位置が二つの前記第１引掛部の間である第２引掛部と、を備え、前記第１引掛部は、前記ベースに設けられた第１受部と、前記カバーに設けられ、前記第１受部に前記第１回転方向に引っ掛かり、前記カバーが前記閉位置から前記第１回転方向に回転されるのに伴い、二つの前記第１引掛部の間の中間側に撓むことにより前記第１受部から離脱する第１爪部と、を有し、前記第２引掛部は、前記ベースに設けられた第２受部と、前記カバーに設けられ、前記第２受部に前記第１回転方向に引っ掛かる第２爪部であって、前記カバーが前記閉位置から前記第１回転方向に回転されるのに伴い、前記第２爪部が前記回転中心側に撓むことにより前記第２受部から離脱する前記第２爪部と、を有する。
【０００７】
前記電子機器の筐体では、例えば、前記第１受部は、前記カバーが前記閉位置に位置された場合に前記ベースから前記カバーに向かう方向に向かうにつれて前記中間に向かうように前記軸方向に対して傾斜した第１傾斜面を有し、前記第１爪部は、前記第１傾斜面に沿い前記第１傾斜面と引っ掛かる第２傾斜面を有する。
【０００８】
前記電子機器の筐体では、例えば、前記第２受部は、前記カバーが前記閉位置に位置された場合に前記ベースから前記カバーに向かう方向と直交する第１直交面を有し、前記第２爪部は、前記第１直交面に沿い前記第１直交面と引っ掛かる第２直交面を有する。
【発明の効果】
【０００９】
本発明の上記態様によれば、受部からの爪部の離脱がしやすい電子機器の筐体を得ることができる。
【図面の簡単な説明】
【００１０】
【図１】図１は、実施形態の電子機器の例示的な斜視図であって、カバーが閉じられた状態の図である。
【図２】図２は、実施形態の電子機器の例示的な斜視図であって、カバーが開位置に位置された状態の図である。
【図３】図３は、図１のIII-III断面図である。
【図４】図４は、実施形態の電子機器においてカバーが開位置に位置された状態の例示的な断面図であって、図３に対応する断面を示す図である。
【図５】図５は、図１のV-V断面図である。
【図６】図６は、図１のVI-VI断面図である。
【図７】図７は、図３の一部の拡大図である。
【図８】図８は、図５の一部の拡大図である。
【発明を実施するための形態】
【００１１】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１２】
本明細書では、序数は、部品や、部材、部位、位置、方向等を区別するためだけに用いられており、順番や優先度を示すものではない。
【００１３】
図１は、実施形態の電子機器１００の例示的な斜視図であって、カバー３が閉じられた状態の図である。図２は、実施形態の電子機器１００の例示的な斜視図であって、カバー３が開位置に位置された状態の図である。
【００１４】
図１および図２に示されるように、電子機器１００は、例えば、デスクトップ型のパーソナルコンピュータとして構成され、筐体１と、筐体１内に収容された電子部品（不図示）と、を備えている。筐体１は、机や台、棚等の設置面に縦置きの状態に置かれる。なお、電子機器１００は、上記例には限定されず、例えば、ノートブック型のパーソナルコンピュータや、スマートフォン、携帯電話、映像表示装置、テレビジョン受像機、ゲーム機等であってもよい。
【００１５】
筐体１は、電子部品を収容したベース２と、ベース２に対して開閉可能に連結されたカバー３と、を備えている。詳細には、カバー３は、回転中心Ａｘ１回りの回転によって開閉可能である。以後、特に言及しない限り、軸方向は、回転中心Ａｘ１の軸方向である。ベース２は、第１連結体や本体とも称され、カバー３は、第２連結体や扉、開閉体とも称される。
【００１６】
以下の説明では、便宜上、互いに直交する三方向が定義されている。Ｘ１方向は、ベース２の奥行方向（前後方向、長手方向）に沿う。Ｙ１方向は、ベース２の幅方向（左右方向、短手方向）に沿う。Ｚ１方向は、ベース２の高さ方向（上下方向）に沿う。
【００１７】
ベース２は、例えば、Ｙ１方向に扁平な直方体状の箱型に構成されている。ベース２は、底壁２ａや、天壁２ｂ、前壁２ｃ、左壁２ｄ、後壁２ｅ、右壁２ｆ等の複数の壁を有している。底壁２ａは、下壁とも称され、天壁２ｂは、上壁とも称される。また、前壁２ｃ、左壁２ｄ、後壁２ｅ、および右壁２ｆは、側壁や、周壁等とも称される。
【００１８】
底壁２ａおよび天壁２ｂは、いずれも、Ｚ１方向と直交する方向（Ｘ１−Ｙ１平面）に沿って延びており、Ｚ１方向に間隔をあけて互いに平行に設けられている。底壁２ａは、ベース２の下端部を構成し、天壁２ｂは、ベース２の上端部を構成している。
【００１９】
前壁２ｃおよび後壁２ｅは、いずれも、Ｘ１方向と直交する方向（Ｙ１−Ｚ１平面）に沿って延びており、Ｘ１方向に間隔をあけて互いに平行に設けられている。前壁２ｃは、底壁２ａおよび天壁２ｂのＸ１方向の端部の間に亘り、後壁２ｅは、底壁２ａおよび天壁２ｂのＸ１方向の反対方向の端部の間に亘っている。前壁２ｃは、ベース２の前端部を構成し、後壁２ｅは、ベース２の後端部を構成している。前壁２ｃには、光学ドライブ１１等が設けられている。
【００２０】
詳細には、前壁２ｃは、外面である前面２ｇと、前面２ｇの反対側の内面２ｐ（図３）と、を有する。また、前壁２ｃは、下端部２ｈと、上端部２ｉと、左端部２ｊと、右端部２ｋと、を有する。また、前壁２ｃには、二つの孔２ｍａ，２ｍｂと、一つの孔２ｎと、が設けられている。孔２ｍａは、上端部２ｉに設けられ、前壁２ｃを貫通している。孔２ｍｂは、下端部２ｈに設けられ、前壁２ｃを貫通している。以後、孔２ｍａおよび孔２ｍｂの総称として孔２ｍを用いる。孔２ｎは、左端部２ｊに設けられ、前壁２ｃを貫通している。孔２ｍａ，２ｍｂ，２ｎは、軸方向に間隔をあけて並べられている。
【００２１】
左壁２ｄおよび右壁２ｆは、いずれも、Ｙ１方向と直交する方向（Ｘ１−Ｚ１平面）に沿って延びており、Ｙ１方向に間隔をあけて互いに平行に設けられている。左壁２ｄは、底壁２ａおよび天壁２ｂのＹ１方向の端部の間に亘り、右壁２ｆは、底壁２ａおよび天壁２ｂのＹ１方向の反対方向の端部の間に亘っている。左壁２ｄは、ベース２の左端部を構成し、右壁２ｆは、ベース２の右端部を構成している。
【００２２】
カバー３は、壁３ａを有している。カバー３は、ベース２の前壁２ｃにおける右端部２ｋに、ヒンジ４（図３）によって連結されている。具体的には、カバー３は、Ｚ方向に延びる回転中心Ａｘ１を中心として、ベース２の前壁２ｃの前面２ｇを覆う閉位置（図１）と、ベース２の前面２ｇを開放する全開位置（不図示）との間で回転可能に、ヒンジ４によってベース２の前壁２ｃに連結されている。なお、図２には、カバー３が閉位置と全開位置との間の開位置に位置した状態が示されている。カバー３は、閉位置では、制限部５によって位置が保持される。すなわち、カバー３は、閉位置では、制限部５によってベース２に固定される。回転中心Ａｘ１は、中心軸または回転軸とも称される。制限部５は、固定部とも称される。以下の説明では、特に言及しない限り、カバー３が閉位置に位置された状態の説明である。
【００２３】
壁３ａは、Ｘ１方向と直交する方向（Ｙ１−Ｚ１平面）に沿って延びており、ベース２の前壁２ｃの前方に位置する。壁３ａは、前面３ｃと、前面３ｃの反対側の後面３ｄと、を有している。後面３ｄは、ベース２における前壁２ｃの前面２ｇと対向する。また、壁３ａは、下端部３ｈと、上端部３ｉと、左端部３ｊと、右端部３ｋと、を有する。また、壁３ａの後面３ｄの外周部から立壁４１がＸ方向の反対方向に突出している。
【００２４】
図３は、図１のIII-III断面図である。図４は、実施形態の電子機器１００においてカバー３が開位置に位置された状態の例示的な断面図であって、図３に対応する断面を示す図である。
【００２５】
図３および図４に示されるように、ヒンジ４は、ベース２に設けられたベース側部分４ａと、カバー３に設けられたカバー側部４ｂと、を有する。ベース側部分４ａとカバー側部４ｂとは、互いに引っ掛かっている。ヒンジ４は、ベース側部分４ａとカバー側部４ｂとの引っ掛かりにより、ベース２に対してカバー３を回転中心Ａｘ１回りに回転可能に連結している。ヒンジ４は、一つであってもよいし、複数であってもよい。なお、ヒンジ４は、上記に限定されない。例えば、ヒンジ４は、回転中心Ａｘ１に沿って延びるシャフトを有し、シャフトを介してベース２に対してカバー３を回転中心Ａｘ１回りに回転可能に連結していてもよい。
【００２６】
次に、制限部５について詳細に説明する。図５は、図１のV-V断面図である。図６は、図１のVI-VI断面図である。
【００２７】
図２〜図６に示されるように、制限部５は、二つの第１引掛部２０Ａ，２０Ｂと、一つの第２引掛部３０と、を有する。以後、第１引掛部２０Ａ，２０Ｂの総称として、第１引掛部２０を用いる。二つの第１引掛部２０Ａ，２０Ｂおよび第２引掛部３０は、回転中心Ａｘ１から離間するとともに、回転中心Ａｘ１の軸方向に互いに間隔をあけて設けられている。具体的には、二つの第１引掛部２０の間に第２引掛部３０が位置されている。すなわち、第２引掛部３０は、軸方向の位置が二つの第１引掛部２０の間である。以後、第１引掛部２０Ａ，２０Ｂの総称として、第１引掛部２０を用いる。
【００２８】
以下、制限部５について、第２引掛部３０、第１引掛部２０の順で詳しく説明する。
【００２９】
図２〜図４に示されるように、第２引掛部３０は、ベース２に設けられた第２受部３１と、カバー３に設けられた第２爪部３２と、を有する。
【００３０】
図７は、図３の一部の拡大図である。図７に示されるように、第２受部３１は、ベース２の前壁２ｃの孔２ｎの周囲の部分によって構成されている。第２受部３１は、第１直交面３１ａを有する。第１直交面３１ａは、後面３ｄにおける孔２ｎの縁部によって構成され、カバー３が閉位置に位置された場合にベース２からカバー３に向かう方向であるＸ１方向と直交する。また、第２受部３１には、ガイド面３１ｃが設けられている。ガイド面３１ｃは、孔２ｎを形成する面に含まれる。すなわち、ガイド面３１ｃは、孔２ｎに面する。
【００３１】
第２爪部３２は、カバー３の壁３ａの後面３ｄから、ベース２に向かう方向すなわちＸ１方向の反対方向に突出している。第２爪部３２は、延部３２ａと、張出部３２ｂと、第２直交面３２ｃと、ガイド面３２ｄと、を有する。
【００３２】
延部３２ａは、壁３ａの後面３ｄからＸ１方向の反対方向に突出している。張出部３２ｂは、延部３２ａの先端部からＹ１方向に張り出している。第２直交面３２ｃは、張出部３２ｂに含まれ、軸方向と直交し、Ｘ１方向を向く。張出部３２ｂにおける第２直交面３２ｃのＸ１方向の反対方向側に形成されている。ガイド面３２ｄは、第２爪部３２の先端部に形成されている。
【００３３】
第２爪部３２は、孔２ｎに挿入された状態で、第２受部３１に第１回転方向Ｒ１に引っ掛かる。具体的には、第２直交面３２ｃが第１直交面３１ａに引っ掛かる。第２爪部３２は、カバー３が閉位置から第１回転方向Ｒ１に回転されるのに伴い、回転中心Ａｘ１側に撓む（弾性変形する）ことにより第２受部３１から離脱する。すなわち、第２爪部３２が上記のように撓むことに第２受部３１と第２爪部３２との引っ掛かりが解除される。
【００３４】
図２および図５に示されるように、第１引掛部２０Ａは、ベース２の前壁２ｃの上端部２ｉに設けられた第１受部２１と、カバー３の壁３ａの上端部３ｉに設けられた第１爪部２２と、を有する。また、図２および図６に示されるように、第１引掛部２０Ｂは、ベース２の前壁２ｃの下端部２ｈに設けられた第１受部２１と、カバー３の壁３ａの下端部３ｈに設けられた第１爪部２２と、を有する。第１引掛部２０Ａ，二つの第１引掛部２０Ａ，２０Ｂは、回転中心Ａｘ１と直交する所定の平面に関して対称である。
【００３５】
二つの第１引掛部２０Ａ，２０Ｂの代表として第１引掛部２０Ａを詳細に説明する。図８は、図５の一部の拡大図である。図５および図８に示されるように、第１引掛部２０Ａの第１受部２１は、ベースの前壁２ｃの内面２ｐにおける孔２ｍの周囲からＸ１方向の反対方向に突出している。
【００３６】
図８に示されるように、第１受部２１は、第１傾斜面２１ａと、ガイド面２１ｂと、を有する。第１傾斜面２１ａは、第１受部２１の先端部に設けられている、第１傾斜面２１ａは、カバー３が閉位置に位置された場合に、ベース２からカバー３に向かう方向すなわちＸ１方向の反対方向に向かうにつれて二つの第１引掛部２０の中間に向かうように軸方向に対して傾斜している。ガイド面２１ｂは、孔２ｍを形成する面２１ｃに含まれる。すなわち、ガイド面２１ｂは、孔２ｍに面する。
【００３７】
第１爪部２２は、延部２２ａと、張出部２２ｂと、第２傾斜面２２ｃと、ガイド面２２ｄと、を有する。
【００３８】
延部２２ａは、壁３ａの後面３ｄからＸ１方向の反対方向に突出している。張出部２２ｂは、延部２２ａの先端部からＺ１方向に張り出している。第２傾斜面２２ｃは、張出部２２ｂに含まれ、第１傾斜面２１ａに沿い第１傾斜面２１ａと引っ掛かる。ガイド面２２ｄは、第１爪部２２の先端部に形成されている。
【００３９】
第１爪部２２は、孔２ｍに入れられた状態で、第１受部２１に第１回転方向Ｒ１に引っ掛かる。第１爪部２２は、カバー３が閉位置から第１回転方向Ｒ１に回転されるのに伴い、二つの第１引掛部２０Ａ，２０Ｂの間の中間（中間位置、中間部）側に撓む（弾性変形する）ことにより第１受部２１から離脱する。換言すると、二つの第１爪部２２は、カバー３が閉位置から第１回転方向Ｒ１に回転されるのに伴い、互いに近づくように撓むことにより第１受部２１から離脱する。すなわち、第１爪部２２が上記のように撓むことに第１受部２１と第１爪部２２との引っ掛かりが解除される。
【００４０】
次に、制限部５によるベース２に対するカバー３の固定の解除方法の一例について説明する。作業者は、例えば、図３および図４に示されるように、第２受部３１から第２爪部３２が離脱するように第２爪部３２の周囲のカバー３の部分（一例として立壁４１）をＤ１方向に押しながら作業者は、例えば、図３および図４に示されるように、第２受部３１から第２爪部３２が離脱するように第２爪部３２の周囲のカバー３の部分（一例として立壁４１）をＤ１方向に押しながらカバー３を第１回転方向Ｒ１に回転させる。Ｄ１方向は、Ｙ１方向の反対方向であり回転中心Ａｘ１に向かう方向である。上記の操作により、第２爪部３２が第２受部３１から離脱する。このとき、カバー３の軸方向の中央部がＤ２方向に突出するように、カバー３が弾性変形する。このときの、カバー３の上端部３ｉの周囲は、図５中のＤ３方向の沿うように弾性変形し、カバー３の下端部３ｈの周囲は、図６中のＤ４方向の沿うように弾性変形する。この弾性変形により、第１引掛部２０Ａ，２０Ｂの第１爪部２２の先端部がそれらの中間に向かって壁３ａに対して撓む。ここで、第１傾斜面２１ａおよび第２傾斜面２２ｃは、上記Ｄ３方向およびＤ４方向に沿うように形成されている。そして、第１引掛部２０Ａおよび第１引掛部２０Ｂの第１爪部２２が第１受部２１から離脱する。よって、作業者は、第２引掛部３０の第２爪部３２に対する押圧操作（離脱操作、解除操作）をするだけで、第１引掛部２０の第１爪部２２に対する押圧操作をすることなく、第２引掛部３０の引っ掛かりおよび第１引掛部２０の引っ掛かりを解除することができる。
【００４１】
カバー３を閉位置に固定する場合には、作業者は、カバーを第１回転方向Ｒ１の反対方向に回転させる。これにより、第１爪部２２および第２爪部３２が、孔２ｍ，２ｎに挿入されて、第１受部２１および第２受部３１に引っ掛かる。すなわち、第１受部２１および第２受部３１が第１爪部２２および第２爪部３２を受ける。この際、ガイド面２１ｂとガイド面２２ｄとが接触して、第１爪部２２が撓みながら孔２ｍに挿入される。ガイド面３１ｃとガイド面３２ｄとが接触して、第２爪部３２が撓みながら孔２ｎに挿入される。
【００４２】
以上のように、本実施形態では、電子機器１００の筐体１は、ベース２と、カバー３と、制限部５と、を備える。カバー３は、回転中心Ａｘ１回りに回転可能にベース２と連結されている。カバー３は、ベース２を覆う閉位置から第１回転方向Ｒ１へ回転することによりベース２（前面２ｇ）を露出させる。制限部５は、閉位置に位置されたカバー３の第１回転方向Ｒ１への回転を引っ掛かりにより制限する。制限部５は、回転中心Ａｘ１から離間するとともに、回転中心Ａｘ１の軸方向に互いに間隔をあけて設けられた二つの第１引掛部２０と、軸方向の位置が二つの第１引掛部２０，２０Ａ，２０Ｂの間である第２引掛部３０と、を備える。第１引掛部２０は、第１受部２１と、第１爪部２２と、を有する。第１受部２１は、ベース２に設けられている。第１爪部２２は、第１受部２１と、カバー３に設けられ、第１受部２１に第１回転方向Ｒ１に引っ掛かり、カバー３が閉位置から第１回転方向Ｒ１に回転されるのに伴い、二つの第１引掛部２０の間の中間側に撓むことにより第１受部２１から離脱する。第２引掛部３０は、第２受部３１と、第２爪部３２と、を有する。第２受部３１は、ベース２に設けられている。第２爪部３２は、カバー３に設けられ、第２受部３１に第１回転方向Ｒ１に引っ掛かり、カバー３が閉位置から第１回転方向Ｒ１に回転されるのに伴い、回転中心Ａｘ１側に撓むことにより第２受部３１から離脱する。
【００４３】
このような構成によれば、例えば、作業者が、カバー３を開く際に、第２受部３１から第２爪部３２を離脱するように第２爪部３２の周囲のカバー３を第１回転方向Ｒ１に回転させることにより、第２爪部３２が第２受部３１から離脱し、第１爪部２２が第１受部２１から離脱する。よって、第１受部２１および第２受部３１からの第１爪部２２および第２爪部３２の離脱がしやすい。
【００４４】
また、本実施形態では、第１受部２１は、カバー３が閉位置に位置された場合にベース２からカバー３に向かう方向に向かうにつれて上記の中間に向かうように軸方向に対して傾斜した第１傾斜面２１ａを有する。第１爪部２２は、第１傾斜面２１ａに沿い第１傾斜面２１ａと引っ掛かる第２傾斜面２２ｃを有する。
【００４５】
このような構成によれば、例えば、第１受部２１からの第１爪部２２の離脱がしやすい。
【００４６】
また、本実施形態では、第２受部３１は、カバー３が閉位置に位置された場合にベース２からカバー３に向かう方向と直交する第１直交面３１ａを有する。第２爪部３２は、第１直交面３１ａに沿い第１直交面３１ａと引っ掛かる第２直交面３２ｃを有する。
【００４７】
このような構成によれば、例えば、第２受部３１に対する第１爪部２２の引っ掛かりが強固になりやすい。
【００４８】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等の仕様（構造や、種類、方向、形式、大きさ、長さ、幅、厚さ、高さ、数、配置、位置、材質等）は、適宜に変更して実施することができる。
【符号の説明】
【００４９】
１…筐体、２…ベース、３…カバー、５…制限部、２０，２０Ａ，２０Ｂ…第１引掛部、２１…第１受部、２１ａ…第１傾斜面、２２…第１爪部、２２ｃ…第２傾斜面、３０…第２引掛部、３１…第２受部、３１ａ…第１直交面、３２…第２爪部、３２ｃ…第２直交面、１００…電子機器、Ａｘ１…回転中心。
【要約】
【課題】受部からの爪部の離脱がしやすい電子機器の筐体を得る。
【解決手段】電子機器の筐体は、ベースと、カバーと、制限部と、を備える。制限部は、回転中心の軸方向に互いに間隔をあけて設けられた二つの第１引掛部と、軸方向の位置が二つの第１引掛部の間である第２引掛部と、を備える。第１引掛部は、ベースに設けられた第１受部２１と、カバーに設けられた第１爪部２２と、を有する。第１爪部は、第１受部に第１回転方向に引っ掛かり、カバーが閉位置から第１回転方向に回転されるのに伴い、二つの第１引掛部の間の中間側に撓むことにより第１受部から離脱する。第２引掛部は、ベースに設けられた第２受部と、カバーに設けられた第２爪部と、を有する。第２爪部は、第２受部に第１回転方向に引っ掛かり、カバーが閉位置から第１回転方向に回転されるのに伴い、回転中心側に撓むことにより第２受部から離脱する。
【選択図】図２【図１】
0006836096.tif 000002
【図２】
0006836096.tif 000003
【図３】
0006836096.tif 000004
【図４】
0006836096.tif 000005
【図５】
0006836096.tif 000006
【図６】
0006836096.tif 000007
【図７】
0006836096.tif 000008
【図８】
0006836096.tif 000009